(57)【要約】【課題】使用者の意図に反した機器の停止などが生じない、使い勝手のよい貯湯式給湯機を得ること。【解決手段】制御部３６は、第２流路形態が選択されるように三方弁１１を制御し、第３流路形態が選択されるように四方弁１８を制御し、かつ、熱源ポンプ１２を作動させる貯湯追焚き運転と、第２流路形態が選択されるように三方弁１１を制御し、第１流路形態が選択されるように四方弁１８を制御し、かつ、熱源ポンプ１２を作動させるヒートポンプ直接追焚き運転と、第２流路形態が選択されるように三方弁１１を制御し、第４流路形態が選択されるように四方弁１８を制御し、かつ、熱源ポンプ１２を作動させる冷却運転とを、切替可能に構成した。【選択図】図１
2012132628.tif 000002
【特許請求の範囲】
【請求項１】
湯水を貯留させる貯湯タンクと、
前記貯湯タンク内の湯水を加熱するヒートポンプユニットと、
前記貯湯タンク内の湯水と、浴槽の水とを熱交換させるふろ用熱交換器と、
一端が前記貯湯タンクの上部に接続され、途中に前記ヒートポンプユニットが設置され、他端が前記貯湯タンクの水導出口に接続された沸上げ水循環回路と、
一端が前記沸上げ水循環回路における前記貯湯タンクの前記上部と前記ヒートポンプユニットとの間に接続され、途中に前記ふろ用熱交換器が設置され、他端が前記沸上げ水循環回路における前記貯湯タンクの前記水導出口と前記ヒートポンプユニットとの間に三方弁を介して接続され、前記ふろ用熱交換器の熱源側回路を構成する熱源側回路と、
前記沸上げ水循環回路における前記熱源側回路の前記一端との接続部と前記ヒートポンプユニットとの間に設置された四方弁と、
前記四方弁と前記貯湯タンクの温水導入口とを接続する第１のバイパス配管と、
前記沸上げ水循環回路における前記三方弁と前記ヒートポンプユニットとの間に設置された熱源ポンプと、
一端が前記熱源ポンプの二次側と前記ヒートポンプユニットの一次側の間に接続され、他端が前記四方弁に接続された第２のバイパス配管と、
前記三方弁、前記四方弁、前記熱源ポンプ、前記ヒートポンプユニットを制御する制御部と、を備え、
前記三方弁は、前記貯湯タンクの前記水導出口と前記ヒートポンプユニットとが前記沸上げ水循環回路を介して連通する第１流路形態と、前記熱源側回路と前記ヒートポンプユニットとが前記熱源側回路を介して連通する第２流路形態とを選択可能に構成するとともに、
前記四方弁は、前記ヒートポンプユニットと前記貯湯タンクの前記上部とが前記沸上げ水循環回路を介して連通する第１流路形態と、前記ヒートポンプユニットと前記第１のバイパス配管とが前記沸上げ水循環回路を介して連通する第２流路形態と、前記第２のバイパス配管と前記第１のバイパス配管とが前記沸上げ水循環回路を介して連通する第３流路形態と、前記貯湯タンクの前記上部側と前記第２のバイパス配管とが前記熱源側回路を介して連通する第４流路形態とを選択可能に構成し、
前記制御部は、
前記第２流路形態が選択されるように前記三方弁を制御し、前記第３流路形態が選択されるように前記四方弁を制御し、かつ、前記熱源ポンプを作動させる貯湯追焚き運転と、
前記第２流路形態が選択されるように前記三方弁を制御し、前記第１流路形態が選択されるように前記四方弁を制御し、かつ、前記熱源ポンプを作動させるヒートポンプ直接追焚き運転と、
前記第２流路形態が選択されるように前記三方弁を制御し、前記第４流路形態が選択されるように前記四方弁を制御し、かつ、前記熱源ポンプを作動させる冷却運転と、
を、切替可能に構成したことを特徴とする貯湯式給湯機。
【請求項２】
前記制御部は、前記貯湯追焚き運転から前記ヒートポンプ直接追焚き運転へ移行する際、前記冷却運転を行うことを特徴とする請求項１に記載の貯湯式給湯機。
【請求項３】
前記冷却運転時に、該冷却運転における循環水の温度を検出する温度検出手段を備え、
前記制御部は、前記温度検出手段での検出温度が所定温度以下となるまで前記冷却運転を継続することを特徴とする請求項２に記載の貯湯式給湯機。
【請求項４】
前記制御部は、前記冷却運転の開始から所定時間が経過したときは、前記温度検出手段の検出温度によらず、前記冷却運転を終了することを特徴とする、請求項３に記載の貯湯式給湯機。
【請求項５】
前記ふろ用熱交換器に前記浴槽の水を循環させるふろ循環ポンプを備え、
前記制御部は、前記冷却運転の開始から前記温度検出手段での検出温度が上昇する場合、前記ふろ循環ポンプを停止することを特徴とする請求項３乃至４のいずれか１つに記載の貯湯式給湯機。
【請求項６】
前記ふろ熱交換器から前記浴槽への往き湯温を検出する往き湯温検出手段を備え、
前記制御部は、前記往き湯温検出手段での検出温度が所定温度以下となるよう、前記ふろ循環ポンプを制御することを特徴とする請求項５に記載の貯湯式給湯機。
【発明の詳細な説明】
【技術分野】
【０００１】
本発明は、貯湯式給湯機に関する。
【背景技術】
【０００２】
従来の貯湯式給湯機において、貯湯タンクの湯を熱源とした貯湯追焚き運転と、ヒートポンプユニットで沸上げた湯を熱源としたヒートポンプ直接追焚き運転とを切替可能な給湯機が開示されている。（特許文献１）
【先行技術文献】
【特許文献】
【０００３】
【特許文献１】特開２００７−１１３８３６号公報
【発明の概要】
【発明が解決しようとする課題】
【０００４】
特許文献１の給湯機において、貯湯追焚き運転状態からヒートポンプ直接追焚き運転へ運転状態を切替えることを考えたとき、貯湯追焚き運転で配管内に残留した高温湯が、ヒートポンプ直接追焚き運転でヒートポンプユニット側へ入水することになり、ヒートポンプユニット側へ予期しない高温入水が生じ、通常は機器側で保護機能が働き、使用者の意図に反し運転が停止する恐れがある。しかしながら、特許文献１には、このような過渡的な部分についての課題認識や解決策が何ら提示されていない。
【０００５】
本発明は、上記のような課題を解決するためになされたもので、使用者の意図に反した機器の停止などが生じない、使い勝手のよい貯湯式給湯機を得ることを目的としている。
【課題を解決するための手段】
【０００６】
本発明の貯湯式給湯機は、湯水を貯留させる貯湯タンクと、貯湯タンク内の湯水を加熱するヒートポンプユニットと、貯湯タンク内の湯水と、浴槽の水とを熱交換させるふろ用熱交換器と、一端が貯湯タンクの上部に接続され、途中にヒートポンプユニットが設置され、他端が貯湯タンクの水導出口に接続された沸上げ水循環回路と、一端が沸上げ水循環回路における貯湯タンクの上部とヒートポンプユニットとの間に接続され、途中にふろ用熱交換器が設置され、他端が沸上げ水循環回路における貯湯タンクの水導出口とヒートポンプユニットとの間に三方弁を介して接続され、ふろ用熱交換器の熱源側回路を構成する熱源側回路と、沸上げ水循環回路における熱源側回路の一端との接続部とヒートポンプユニットとの間に設置された四方弁と、四方弁と貯湯タンクの温水導入口とを接続する第１のバイパス配管と、沸上げ水循環回路における三方弁とヒートポンプユニットとの間に設置された熱源ポンプと、一端が熱源ポンプの二次側とヒートポンプユニットの一次側の間に接続され、他端が四方弁に接続された第２のバイパス配管と、三方弁、四方弁、熱源ポンプ、ヒートポンプユニットを制御する制御部と、を備え、三方弁は、貯湯タンクの水導出口とヒートポンプユニットとが沸上げ水循環回路を介して連通する第１流路形態と、熱源側回路とヒートポンプユニットとが熱源側回路を介して連通する第２流路形態とを選択可能に構成するとともに、四方弁は、ヒートポンプユニットと貯湯タンクの上部とが沸上げ水循環回路を介して連通する第１流路形態と、ヒートポンプユニットと第１のバイパス配管とが沸上げ水循環回路を介して連通する第２流路形態と、第２のバイパス配管と第１のバイパス配管とが沸上げ水循環回路を介して連通する第３流路形態と、貯湯タンクの上部側と第２のバイパス配管とが熱源側回路を介して連通する第４流路形態とを選択可能に構成し、制御部は、第２流路形態が選択されるように三方弁を制御し、第３流路形態が選択されるように四方弁を制御し、かつ、熱源ポンプを作動させる貯湯追焚き運転と、第２流路形態が選択されるように三方弁を制御し、第１流路形態が選択されるように四方弁を制御し、かつ、熱源ポンプを作動させるヒートポンプ直接追焚き運転と、第２流路形態が選択されるように三方弁を制御し、第４流路形態が選択されるように四方弁を制御し、かつ、熱源ポンプを作動させる冷却運転とを、切替可能に構成したものである。
【発明の効果】
【０００７】
本発明によれば、使用者の意図に反した機器の停止などが生じない、使い勝手のよい貯湯式給湯機を得ることができる。
【図面の簡単な説明】
【０００８】
【図１】本発明の実施の形態１の貯湯式給湯機のシステム図である。
【図２】図１のシステムでの貯湯追焚き運転時の湯循環経路を太線で示す図である。
【図３】図１のシステムでのヒートポンプ直接追焚き運転時の湯循環経路を太線で示す図である。
【図４】図１のシステムでの冷却運転時の湯循環経路を太線で示す図である。
【発明を実施するための形態】
【０００９】
以下、本発明の貯湯式給湯機の実施の形態について、図面を参照して詳細に説明する。なお、各図面において共通する要素には、同一の符号を付して、重複する説明を省略する。
【００１０】
実施の形態１
図１は、本発明の実施の形態１における貯湯式給湯機３５のシステム構成図である。図１に示す貯湯式給湯機３５は、タンクユニット３３と、ヒートポンプサイクルを利用するように構成されたヒートポンプユニット７とを備えている。２つのユニット７、３３は、ヒートポンプ往き配管１４とヒートポンプ戻り配管１５とによって接続されている。また、タンクユニット３３には、制御装置３６が内蔵されている。タンクユニット３３およびヒートポンプユニット７が備える各種の弁類、ポンプ類等の作動は、これらと電気的に接続された制御装置３６により制御される。以下、貯湯式給湯機３５の各構成要素について説明する。
【００１１】
ヒートポンプユニット７は、タンクユニット３３から導かれた低温水を加熱する（沸上げる）ための加熱手段として機能するものである。ヒートポンプユニット７は、圧縮機１、水冷媒熱交換器３、膨張弁４、空気熱交換器６を冷媒循環配管５にて環状に接続し、冷凍サイクル（ヒートポンプサイクル）を構成している。水冷媒熱交換器３は、ヒートポンプサイクルを構成する冷媒循環配管５を流れる冷媒とタンクユニット３３から導かれた低温水との間で熱交換を行うためのものである。また、ヒートポンプ戻り温度サーミスタ４０は、水冷媒熱交換器３で加熱した高温湯の温度を検知するための温度センサーであり、ヒートポンプ戻り配管１５に設けられている。ヒートポンプユニット７で高温湯を得るためには、ヒートポンプサイクルは、冷媒として二酸化炭素を用い、臨界圧を越える圧力で運転することが好ましい。
【００１２】
一方、タンクユニット３３には、以下の各種部品や配管などが内蔵されている。貯湯タンク８は、湯水を貯留するためのものである。貯湯タンク８の下部には、市水を供給するための第三給水配管９ｃが接続されており、貯湯タンク８の上部には、貯留した湯水を給湯機外部へ供給するための給湯配管２１が温水導入出口８ｄから接続されている。なお、貯湯タンク８には、ヒートポンプユニット７を用いて加熱された高温湯がタンク上部から流入されるとともに、第三給水配管９ｃを介して低温水をタンク下部から流入させることにより、タンク内の上部と下部で温度差が生じるように湯水が貯留される。また、貯湯タンク８の表面には、取付高さを変えて貯湯タンク８内の湯水の温度分布を検知するための残湯サーミスタ（上部）４２、残湯サーミスタ（下部）４３が取り付けられている。これらの残湯サーミスタ（上部）４２、残湯サーミスタ（下部）４３により取得された温度分布に基づいて、貯湯タンク８内の残湯量が把握され、ヒートポンプユニット７による貯湯タンク８内の湯水の沸上げ運転の開始および停止などが制御される。
【００１３】
また、タンクユニット３３内には、熱源ポンプ１２およびふろ用熱交換器２０が内蔵されている。熱源ポンプ１２は、タンクユニット３３内の後述する各種配管に湯水を循環させるためのポンプであり、後述する三方弁１１のｃポートとヒートポンプ往き配管１４を接続する熱源ポンプ配管１３上に設けられている。なお、熱源ポンプ１２の下流の熱源ポンプ配管１３上には、循環する湯水（特に後述する冷却運転での循環水）の温度を検出する冷却循環温度サーミスタ３９ａが設けられている。ふろ用熱交換器２０は、貯湯タンク８やヒートポンプユニット７から供給される高温湯を利用して、２次側の加熱対象水（浴槽循環水や暖房用循環水など）を加熱するための熱交換器である。なお、本実施形態では、ふろ用熱交換器２０の２次側の構成として、浴槽３０内の湯水を循環させるふろ往き配管２７とふろ戻り配管２８を例に挙げて説明する。ふろ用熱交換器２０は、ふろ往き配管２７とふろ戻り配管２８の途中に設置されている。また、ふろ往き配管２７とふろ戻り配管２８の途中には、浴槽水を循環させるためのふろ循環ポンプ２９と、浴槽３０から出た浴槽水の温度を検知するためのふろ戻り温度サーミスタ３８と、ふろ用熱交換器２０から出た熱交換後の湯の温度を検知するためのふろ往き温度サーミスタ３７が設置されている。
【００１４】
次に、タンクユニット３３が備える弁類および配管類について説明する。タンクユニット３３は、三方弁１１、四方弁１８を有している。三方弁１１は、湯水が流入する２つの入口（ａポート、ｂポート）と、湯水が流出する１つの出口（ｃポート）とを有する流路切り替え手段であり、ａポートもしくはｂポートのどちらかから湯水が流入するように湯水の経路を切り替え可能に構成されている。四方弁１８は、湯水が流入する２つの入口（ｂポート、ｃポート）と、湯水が流出する２つの出口（ａポート、ｄポート）とを有する流路切り替え手段であり、４つの経路、すなわち、ａ−ｂ経路、ａ−ｃ経路、ｂ−ｄ経路、ｃ−ｄ経路の間で流路形態を切替可能に構成されている。
【００１５】
また、タンクユニット３３は、水導出口配管１０、上記ヒートポンプ往き配管１４、上記ヒートポンプ戻り配管１５、温水導入配管（熱源側回路）２０ａ、第１のバイパス配管１６、温水導出配管（熱源側回路）２０ｂ、第２のバイパス配管１７を有している。
【００１６】
水導出口配管１０は、貯湯タンク８の下部に設けられた水導出口８ｂと三方弁１１のａポートとを接続する流路である。ヒートポンプ往き配管１４は、三方弁１１のｃポートとヒートポンプユニット７の入口側とを接続する流路であり、ヒートポンプ戻り配管１５は、ヒートポンプユニット７の出口側と四方弁１８のｃポートとを接続する流路であり、給湯配管２１は、四方弁１８のｄポートと貯湯タンク８上部（温水導入出口８ｄ）とを接続する流路であり、第１のバイパス配管１６は、四方弁１８のａポートと貯湯タンク８の中央部から下部の間に設けられた温水導入口８ｃとを接続する流路である。また、温水導入配管（熱源側回路）２０ａは、給湯配管２１における貯湯タンク上部と四方弁１８との間から分岐し、ふろ用熱交換器２０の１次側入口に接続される流路であり、温水導出配管（熱源側回路）２０ｂは、ふろ用熱交換器２０の１次側出口と三方弁１１のｂポートとを接続する流路である。更に、第２のバイパス配管１７は、ヒートポンプ戻り配管１５における三方弁１１とヒートポンプユニット７の入り口側との間から分岐し、四方弁１８のｂポートに接続される流路である。
【００１７】
さらにタンクユニット３３は、給水管路９、第一給水配管９ａ、第二給水配管９ｂ、給湯用混合弁２２、ふろ用混合弁２３、第一給湯配管２４、第二給湯配管２５を有している。
【００１８】
より具体的には、第二給水配管９ｂは給水配管９の途中から分岐して、給湯用混合弁２２とふろ用混合弁２３の水側配管を構成している。給湯配管２１は分岐して給湯混合弁３３とふろ混合弁３４の湯側配管を構成している。給湯用混合弁２２とふろ用混合弁２３は、給湯配管２１から供給される高温水と第二給水配管９ｂから流れる水の流量比を調整して、ユーザーが設定可能なリモコン（図示しない）にて設定された設定温度に調整する弁である。給湯用混合弁２２で温度調整された温水は、第一給湯配管２４から給湯栓３４を経由して、ユーザーが使用するシャワーやカラン等の蛇口（図示しない）に供給される。ふろ用混合弁２３で設定温度に調整された温水は、第二給湯配管２５からふろ往き配管２７を経て浴槽３０に供給される。
【００１９】
本実施形態の貯湯式給湯機３５では、以下の図２〜４に示す運転状態に応じて上記三方弁１１を制御して、次の第１および第２の２つの流路形態の間で、タンクユニット３３内の湯水の流路を切り替えて使用するようになっている。より具体的には、三方弁１１により選択可能な「第１流路形態」とは、貯湯タンク８の水導入口８ｂと水冷媒熱交換器３とが水導出口配管１０およびヒートポンプ往き配管１４を介して連通する流路形態のことであり、「第２流路形態」とは、温水導出配管（熱源側回路）２０ｂと水冷媒熱交換器３とがヒートポンプ往き配管１４を介して連通する流路形態のことである。
【００２０】
更に、本実施形態の貯湯式給湯機３５では、以下の図２〜４に示す運転状態に応じて上記四方弁１８を制御して、次の第１〜第４の４つの流路形態の間で、タンクユニット３３内の湯水の流路を切り替えて使用するようになっている。より具体的には、四方弁１８により選択可能な「第１流路形態」とは、水冷媒熱交換器３と貯湯タンク８の上部側とがヒートポンプ戻り配管１５および給湯配管２１を介して連通する流路形態のことであり、「第２流路形態」とは、水冷媒熱交換器３と第１のバイパス配管１６とがヒートポンプ戻り配管１５を介して連通する流路形態のことであり、「第３流路形態」とは、第２のバイパス配管１７と第１のバイパス配管１６とが連通する流路形態のことであり、「第４流路形態」とは、第１のバイパス配管１６と給湯配管２１とが連通する流路形態のことである。
【００２１】
次に、上記構成による本実施の形態の動作について、図２〜４を参照して説明する。図２は、本発明の実施の形態１における貯湯式給湯機３５の貯湯追焚き運転時の回路構成図である。貯湯追焚き運転とは、貯湯タンク８に貯えた高温湯と浴槽３０内の水とをふろ用熱交換器２０にて熱交換し、浴槽３０内の水の加熱を実施する運転である。この貯湯追焚き運転時には、三方弁１１は、ｂポートとｃポートとが連通し、ａポートが閉状態となるように（すなわち、三方弁１１の上記第２流路形態が選択されるように）制御される。また四方弁１８は、ａポートとｂポートとが連通し、ｃポートとｄポートが閉状態となるように（すなわち、四方弁１８の上記第３流路形態が選択されるように）制御される。これにより、熱源ポンプ配管１３と第１のバイパス配管１６とが連通する。
【００２２】
貯湯追焚き運転は、上記のように三方弁１１および四方弁１８が制御された状態で、熱源ポンプ１２とふろ循環ポンプ２９の運転を開始することにより実行される。その結果、貯湯タンク８の上部から流出する高温湯は、温水導入配管（熱源側回路）２０ａを経由してふろ用熱交換器２０に導かれ、浴槽水と熱交換され、温水導出配管（熱源側回路）２０ｂ、三方弁１１、四方弁１８、第１のバイパス配管１６を経由して、貯湯タンク８の下部に流入する。一方、浴槽３０側の経路では、ふろ循環ポンプ２９を運転することで、浴槽３０に張られた湯水がふろ往き配管２７とふろ戻り配管２８内を循環する。その結果、ふろ用熱交換器２０の１次側を流れる高温湯の熱が、ふろ用熱交換器２０の２次側を流れる湯水に伝達し、浴槽３０内に張られた湯水が温められる。この貯湯追焚き運転は、浴槽３０に張られた湯水の温度低下をふろ戻り温度サーミスタ３８で検知することで制御部３６により自動的に実施、または、ユーザーが任意に実施できる構成となっている。
【００２３】
図３は本発明の実施の形態１における貯湯式給湯機３５のヒートポンプ直接追焚き運転の運転回路構成図である。ヒートポンプ直接追焚き運転とは、ヒートポンプユニット７で沸上げた湯と浴槽３０内の水とをふろ用熱交換器２０にて熱交換し、浴槽３０内の水の加熱を実施する運転である。このヒートポンプ直接追焚き運転時には、三方弁１１は、ｂポートとｃポートとが連通し、ａポートが閉状態となるように（すなわち、三方弁１１の上記第２流路形態が選択されるように）制御される。また四方弁１８は、ｃポートとｄポートとが連通し、ａポートとｂポートが閉状態となるように（すなわち、四方弁１８の上記第１流路形態が選択されるように）制御される。これにより、熱源ポンプ配管１３とヒートポンプ往き配管１４、ヒートポンプ戻り配管１５と温水導入配管（熱源側回路）２０ａとが連通する。
【００２４】
ヒートポンプ直接追焚き運転は、上記のように三方弁１１および四方弁１８が制御された状態で、ヒートポンプユニット７と熱源ポンプ１２とふろ循環ポンプ２９の運転を開始することにより実行される。その結果、ヒートポンプユニット７から流出する高温湯は、ヒートポンプ戻り配管１５、四方弁１８、温水導入配管（熱源側回路）２０ａを経由してふろ用熱交換器２０に導かれ、浴槽水と熱交換され、温水導出配管（熱源側回路）２０ｂ、ヒートポンプ往き配管１４、三方弁１１を経由して、ヒートポンプユニット７へ流入する。一方、浴槽３０側の経路では、ふろ循環ポンプ２９を運転することで、浴槽３０に張られた湯水がふろ往き配管２７とふろ戻り配管２８内を循環する。その結果、ふろ用熱交換器２０の１次側を流れる高温湯の熱が、ふろ用熱交換器２０の２次側を流れる湯水に伝達し、浴槽３０内に張られた湯水が温められる。このヒートポンプ直接追焚き運転は、浴槽３０に張られた湯水の温度低下をふろ戻り温度サーミスタ３８で検知することで制御部３６により自動的に実施、または、ユーザーが任意に実施できる構成となっている。
【００２５】
貯湯追焚き運転とヒートポンプ直接追焚き運転に関して、貯湯追焚き運転からヒートポンプ直接追焚き運転に切り替わる際、貯湯追焚き運転時に貯湯タンク８の上部から流出し温水導入配管２０ａに残留した高温湯が、ヒートポンプ直接追焚き運転によってヒートポンプユニット７へ入水する。通常、従来の構成では高温湯がヒートポンプユニットへ入水してしまうと、冷媒との熱交換ができないばかりでなく、冷媒側の温度や圧力が異常上昇するなど冷凍サイクルの運転に支障を生じるため、機器の保護を目的に運転を停止せざるを得ない。
【００２６】
本実施の形態での構成による運転制御では、貯湯追焚き運転からヒートポンプ直接追焚き運転に切り替わる際は、図４に示す冷却運転を間に入れる。冷却運転とは、ふろ用熱交換器からの出湯を貯湯タンク８とヒートポンプユニット７のいずれも経由しないルートで循環させる回路を構成し、循環する湯水の温度の低下を実施する運転である。この冷却運転時には、三方弁１１は、ｂポートとｃポートとが連通し、ａポートが閉状態となるように（すなわち、三方弁１１の上記第２流路形態が選択されるように）制御される。また四方弁１８は、ｂポートとｄポートとが連通し、ａポートとｃポートが閉状態となるように（すなわち、四方弁１８の上記第４流路形態が選択されるように）制御される。これにより、熱源ポンプ配管１３と第２のバイパス配管１７、温水導入配管（熱源側回路）２０ａとが連通する。
【００２７】
冷却運転は、上記のように三方弁１１および四方弁１８が制御された状態で、熱源ポンプ１２とふろ循環ポンプ２９の運転を開始することにより実行される。その結果、温水導入配管（熱源側回路）２０ａに残留した高温湯は、ふろ用熱交換器２０に導かれ、浴槽水と熱交換され、また温水導出配管（熱源側回路）２０ｂ、三方弁１１、熱源ポンプ配管１３、第２のバイパス配管１７、四方弁１８を経由して循環する。一方、浴槽３０側の経路では、ふろ循環ポンプ２９を運転することで、浴槽３０に張られた湯水がふろ往き配管２７とふろ戻り配管２８内を循環する。上記経路で循環することにより温水導入配管（熱源側回路）２０ａに残留した高温湯の熱が、ふろ用熱交換器２０の２次側を流れる湯水に伝達し、熱が奪われ、また循環することによる配管からの放熱で温水導入配管（熱源側回路）２０ａに残留した高温湯の温度が低下する。
【００２８】
これにより、高温湯の温度を所定温度（ヒートポンプユニット７に供給しても動作に問題のない温度）となるまで、冷却循環温度サーミスタ３９ａ（本実施の形態では、熱源ポンプ配管１３上に備えたが、冷却運転での循環経路の任意の位置に設けた温度検出手段でもよい）で温度を検出しながら循環させたあと、制御部３６がヒートポンプ直接追焚き運転に切替えることで、使用者の意図しない運転停止を起こさず使い勝手の良い貯湯式給湯機を得ることが可能となる。
【００２９】
なお、冷却運転時間が長くなり次の動作が遅れてしまうことがないよう、所定時間冷却運転を実施したあとは、冷却運転を終了し、次の動作に移行するようにしてもよい。例えば、冷却運転時は、運転時間を制御部３６で管理し、所定時間（例えば３分）を経過した場合、冷却運転を終了する。この場合、冷却運転での放熱がほとんどない状態であるので、ヒートポンプユニット７での直接追焚き運転に切替えたあと、所定時間あるいは加熱側の循環水の温度が所定温度以下となるまでは圧縮機１を動作させないように制御部３６が制御することで、冷却運転が適切に終了し、使用者の意図しない運転停止を起こさず使い勝手の良い貯湯式給湯機を得ることが可能となる。
【００３０】
また、ふろ往き配管２７からの高温出湯を防止するために、ふろ往き配管２７内に滞留または循環する湯水の温度が湯はり設定温度よりも所定温度（例えば１０℃）以上高くなったらふろ循環ポンプ２９を停止するあるいは、別の所定温度（入浴に支障のない温度）以下となるよう、ふろ循環ポンプ２９の回転数（循環流量）を制御してもよい。
【００３１】
以上、本発明によれば、使用者の意図しない運転停止を起こさず使い勝手の良い貯湯式給湯機を得ることが可能となる。
【符号の説明】
【００３２】
１  圧縮機
２  ユニットケース
３  水冷媒熱交換器
４  膨張弁
５  冷媒循環配管
６  空気熱交換器
７  ヒートポンプユニット
８  貯湯タンク
８ａ  水導入口
８ｂ  水導出口
８ｃ  温水導入口
８ｄ  温水導入出口
９  給水管路
９ａ  第一給水配管
９ｂ  第二給水配管
９ｃ  第三給水配管
１０  水導出口配管（沸上げ水循環回路）
１１  三方弁
１２  熱源ポンプ
１３  熱源ポンプ配管（沸上げ水循環回路）
１４  ヒートポンプ往き配管（沸上げ水循環回路）
１５  ヒートポンプ戻り配管（沸上げ水循環回路）
１６  第１のバイパス配管
１７  第２のバイパス配管
１８  四方弁
２０  ふろ用熱交換器
２０ａ  温水導入配管（熱源側回路）
２０ｂ  温水導出配管（熱源側回路）
２１  給湯配管
２２  給湯用混合弁
２３  ふろ用混合弁
２４  第一給湯配管
２５  第二給湯配管
２６  ふろ用電磁弁
２７  ふろ往き配管
２８  ふろ戻り配管
２９  ふろ循環ポンプ
３０  浴槽
３１  減圧弁
３２  ユニットケース
３３  タンクユニット
３４  給湯栓
３５  貯湯式給湯機
３６  制御装置
３７  ふろ往き温度サーミスタ
３８  ふろ戻り温度サーミスタ
３９  ヒートポンプ往き温度サーミスタ
３９ａ  冷却循環温度サーミスタ
４０  ヒートポンプ戻り温度サーミスタ
４１  外気温度サーミスタ
４２  残湯サーミスタ（上部）
４３  残湯サーミスタ（下部）
【図１】
2012132628.tif 000003
【図２】
2012132628.tif 000004
【図３】
2012132628.tif 000005
【図４】
2012132628.tif 000006